(57)【要約】      （修正有）【課題】書籍が分野別に分類して陳列された書店の書棚の棚板に、その分野に関連する企業、製品等の広告媒体、又は情報伝達媒体の掲示できる書棚用広告・情報掲示具を提供する。【解決方法】書店の書棚の棚板前面に配設し、その棚板上に陳列された書籍の分野（例えば、政治・経済、医学、文学、観光）に係わる企業の広告や関連情報を記載した紙片を随時交換挿入可なる様に書棚用広告・情報掲示具１を形成する。書棚の棚板と棚板上に陳列された複数の書籍との間に挿入され、書籍の荷重によって保持される取付部３と前記取付部の前端から垂下された表示部２とからなり、かつ、前記表示部が下端で内側に折り返され、前記紙片の挿入溝４を構成する。【選択図】図１
0003173850.tif 000002
【実用新案登録請求の範囲】
【請求項１】
書店の書棚（１０）の棚板（１１）前面に配設しその棚板（１１）上に陳列された書籍（１２）の分野（例えば、政治・経済、医学、文学、観光）に係わる企業の広告や関連情報を記載した紙片を随時交換挿入可能にしてなる書棚用広告・情報掲示具（１）であって、書棚（１０）の棚板（１１）と棚板（１１）上に陳列された複数の書籍（１２）との間に挿入され、書籍（１２）の荷重によって保持される取付部（３）と前記取付部（３）の前端から垂下された表示部（２）とからなり、かつ、前記表示部（２）が下端で内側に折り返され、前記紙片の挿入溝（４）を構成してなることを特徴とする書棚用広告・情報掲示具。
【請求項２】
前記取付部（３）と表示部（２）とが透明なアクリル板で一体として形成されてなることを特徴とする請求項１に記載の書棚用広告・情報掲示具。
【請求項３】
前記表示部（２）の下端部が棚板（１１）前面より下方に突出し、下段に陳列された書籍（１２）の取り出しに支障を与えないよう前記表示部（２）の高さ（Ｈ）が設定されてなることを特徴とする請求項１又は２に記載の書棚用広告・情報掲示具。
【請求項４】
前記取付部（３）は、該取付部（３）に陳列された複数冊の書籍（１２）の荷重によって保持され、顧客が前記取付部（３）上に陳列された複数の書籍（１２）の内１、２冊を取り出しても脱落することがなく、また広告や情報を掲示するに十分な幅（Ｗ）と奥行き（Ｄ）とを有してなることを特徴とする請求項１〜３のいずれか１項に記載の書棚用広告．情報掲示具。
【考案の詳細な説明】
【技術分野】
【０００１】
書店の書棚の棚板前面に配設しその棚板上に陳列された書籍の分野、例えば、政治・経済、医学、文学、観光等に係わる企業の広告や関連情報を記載した紙片を随時交換挿入可能にしてなる書棚用広告・情報掲示具に関する。
【背景技術】
【０００２】
書棚等に広告を掲示する掲示具の発明としては、特開２００３−１２５８６４号公報に開示された「宣伝広告機能付き書籍棚」がある。この発明は、その〔特許請求の範囲〕に記載されているように、「雑誌類の書籍を立てて並べて当該表紙を目視できる構成を少なくとも有する書店用書籍棚において、当該書棚に陳列される書籍の縦方向の長さの約０．２乃至０．５倍の高さを有し、その表面に宣伝広告用の記載を有した板状部と、書籍棚に着脱自在に掛止させる掛止部とを有した板状宣伝広告物を備えたもの〔請求項１〕」であって「板状部が、電光掲示板、液晶モニターその他の電子的標示物であり〔請求項２〕、板状宣伝広告物が、当該宣伝広告に関する記載を有し、直接入手若しくは切り離せるはがき、チラシ、カードその他の宣伝公告用紙状体のもので、これを保持する収容部を備えている〔請求項３〕」宣伝広告機能付き書籍棚であって、請求項１に記載されているように、雑誌類をその表紙が見えるようにして立てて並べる書棚に適用される発明であり、一般書店で書籍の背表紙が目視できるように並置して陳列される書棚に適用し得るものではない。
【０００３】
書籍の背表紙が目視できるように並置して陳列される書棚に適用できるものとしては、特許第３６４０９５６号公報に開示された「書籍．商品等の転倒防止スペーサ」が見られる。
しかしこの発明は、明細書の〔背景技術〕で、
「……また多くの書籍、商品を陳列する必要のある書店、図書館、商店などにおいても、利用者が所望する書籍、商品等を容易に発見できるようにするために、書籍、商品等は書棚または陳列棚に立てた状態で置かれている。しかし、保管または陳列する書籍、商品等の数は書棚または陳列棚の幅を常に満たすとは限らないため、書棚、陳列棚に不規則に隙間ができてしまうことが多々ある。」と記載され、この隙間を労なく埋めるスペーサを提供するものであり、広告機能は〔請求項４〕に副次的機能として「前記略三角柱のブロック（４）の正面に位置する面は平面であって、ＰＯＰ広告等の表示片（１１）等を貼付したことを特徴とする請求項１〜請求項３のいずれかに記載した書籍・商品等の転倒防止スペーサ。」と記載されて請求されている。
書店の書棚においては、隙間ができれば書籍を追加陳列する場合が多く、上記スペーサを使用する機会は皆無に近く、上記スペーサが広告機能備えているとしてもその機能が発揮できるとは考えにくい。
【０００４】
また以前、書店の書棚、特に文庫や新書等が陳列された場所においては、棚板の上面及び前面に当接できるよう断面Ｌ字状に折り曲げられたプレートを、その上面に当接する部分を陳列された複数冊の文庫本や新書本と棚板の間に差し込み、棚板の前面に当接する部分に当該文庫や新書の名称「○○文庫」「××新書」等と印字された表示プレートが使用されてもいたが、これは書店として顧客の便宜を図るためのものであり、広告目的のものではなく、まして表示内容を随時変更できるものではなかった。
【先行技術文献】
【特許文献】
【０００５】
【特許文献１】特開２００３−１２５８６４号公報
【特許文献２】特許第３６４０９５６号公報
【考案の概要】
【考案が解決しようとする課題】
【０００６】
本考案は上記背景技術に鑑みてなされたもので、書籍を分野別に分類して陳列された書店の書棚の棚板を、その分野に関連する企業、製品等の広告媒体、又は情報伝達媒体として活用できる書棚用広告・情報掲示具を提供するものである。
【課題を解決するための手段】
【０００７】
本考案者は上記課題を機器の手段により解決した。
（１）書店の書棚の棚板前面に配設し、その棚板上に陳列された書籍の分野（例えば、政治・経済、医学、文学、観光）に係わる企業の広告や関連情報を記載した紙片を随時交換挿入可能にしてなる書棚用広告・情報掲示具であって、書棚の棚板と棚板上に陳列された複数の書籍との間に挿入され、書籍の荷重によって保持される取付部と前記取付部の前端から垂下された表示部とからなり、かつ、前記表示部が下端で内側に折り返され、前記紙片の挿入溝を構成してなることを特徴とする書棚用広告・情報掲示具。
（２）前記取付部と表示部とが透明なアクリル板で一体として形成されてなることを特徴とする前項（１）に記載の書棚用広告・情報掲示具。
（３）前記表示部の下端部が棚板前面より下方に突出し、下段に陳列された書籍の取り出しに支障を与えないよう前記表示部の高さが設定されてなることを特徴とする前項（１）又は（２）に記載の書棚用広告・情報掲示具。
（４）前記取付部は、該取付部上に陳列された複数冊の書籍の荷重によって保持され、顧客が前記取付部上に陳列された複数冊の書籍の内１、２冊を取り出しても脱落することがなく、また広告や情報を掲示するに十分な幅と奥行きとを有してなることを特徴とする前項（１）〜（３）のいずれか１項に記載の書棚用広告．情報掲示具。
【考案の効果】
【０００８】
本考案の書棚用広告・情報掲示具において下記の効果が発揮できる。
〈１〉本考案の書棚用広告・情報掲示具が、書棚の棚板と棚板上に陳列された複数の書籍との間に挿入され、書籍の荷重によって保持される取付部と前記取付部の前端から垂下された表示部とからなり、かつ、前記表示部が下端で内側に折り返され、前記紙片の挿入溝を構成されているので、随時前記書棚の棚板の任意な位置に配設して使用でき、したがって、掲示する広告・情報と最も関連の深い書籍の陳列された場所に取り付けることによって、高い宣伝効果や情報伝達効果が得られる。
〈２〉前記取付部と表示部とが透明なアクリル板で一体として形成されているので、
前記表示部が下端で内側に折り返されて形成された挿入溝に、広告や情報が記載された紙片を挿入することによって広告や情報の掲示が容易に行え、また紙片の交換によってその内容を更新でき、簡易でタイムリーな広告宣伝媒体、情報伝達媒体として使用できる。
〈３〉前記書棚用広告・情報掲示具が、透明なアクリル板を屈曲させた簡単な構造で形成されているので量産に適し、安価に製造できる。
〈４〉前記書棚用広告・情報掲示具の外形寸法が、表示部の高さはその下端が棚板の下方に突出しないよう設定され、また表示部の幅は広告や情報を掲示するに十分な幅を有し、そして前記取付部は、棚板上に陳列される複数冊の書籍の下方に挿入され、書籍の荷重によって保持される奥行きを有しているので、書棚用広告・情報掲示具を設置した棚板の下段に陳列された書籍の取り出しに支障を与えることなく、また書籍用広告・情報掲示具上に陳列された服数冊の書籍の内１、２冊を取り出しても前記書棚用広告・情報掲示具が脱落することなく安定して使用できる。
【図面の簡単な説明】
【０００９】
【図１】本考案の書棚用広告・情報掲示具の斜視図
【図２】本考案の書棚用広告・情報掲示具の使用例を示す斜視図
【考案を実施するための形態】
【００１０】
本考案の書棚用広告・情報掲示具を実施するための形態を、実施例の図に基づいて説明する。図１は本考案の書棚用広告・情報掲示具の斜視図、図２は本考案の書棚用広告・情報掲示具の使用例を示す斜視図であり、図において１は書棚用広告・情報掲示具、２は表示部、３は取付部、４は紙片挿入溝、１０は書棚、１１は棚板、１２は書籍、Ｈは表示部の高さ、Ｗは表示部の幅、Ｄは取付部の奥行きを示す。
【００１１】
本書棚用広告・情報掲示具１は、図１に示すように、、書棚１０の棚板１１と棚板１１上に陳列された複数の書籍１２との間に挿入され〔図２参照〕、書籍１２の荷重によって保持される取付部３と前記取付部３の前端から垂下された表示部２とからなり、かつ、前記表示部２が下端で内側に折り返され、広告や情報が紙片５の挿入溝４を形成してなり、そして、前記取付部３と表示部２とは１ｍｍ厚の透明なアクリル板で一体として形成されている。
また図２に示すように、前記表示部２は棚板１１の前面に沿って配設され、その下端が棚板１１の下方に突出しないように表示部２の高さＨは２５〜３０ｍｍに設定され、下段の書籍１２を取り出す際に支障を与えないよう配慮されている。そして表示部２の幅Ｗは２００〜３００ｍｍに採られ、広告や情報の内容を的確に表示するのに必要な幅を有するものとなっている。
前記取付部３の奥行きＤは１５０ｍｍに採られ、前記取付部３の上に載った複数冊の書籍１２の荷重によって前記書棚用広告・情報掲示具１が安定に保持され、かつ取付部３上に載置された書籍１２を１、２冊取り出しても前記書棚用広告・情報掲示具１が脱落しないようになされている。
【００１２】
本書棚用広告・情報掲示具１は、図２に示すように、、書店の書棚１０の棚板１１前面にその表示部２を配設しその棚板１１上に陳列された書籍１２の分野に係わる企業の広告や関連情報を記載した紙片を随時交換挿入して、その分野に関心の高い読者に付加的情報、例えば、政治・経済の分野にあっては経済紙や経済雑誌の継続購読の勧誘広告を、医療や健康分野にあっては製薬会社や健康食品会社の広告、近隣病院の広告を、旅ガイドなどの観光分野にあっては旅行社の案内を、そして文学の分野ではそれを題材とした演劇の公演、映画の封切情報などが提供でき、各書店における工夫によって多様な情報提供を可能にするものとなる。
広告や情報を記載した紙片を挿入して表示する表示部２の高さＨが２５〜３０ｍｍに限られるので、記載される文字も小さくはなるが、書籍１２を求める場合には書棚１０に近づくので十分読みとれ、広告媒体、情報提供媒体として有効に使用できる。
また、本書棚用広告・情報掲示具１は、書棚１０の前に立った購買者の目線の届く範囲で使われるのが好ましく、しゃがみ込んで見なければならない低い棚板や背伸びして見なければならない棚板での使用は十分な効果が得られないことになる。
【符号の説明】
【００１３】
１：書棚用広告・情報掲示具
２：表示部
３：取付部
４：紙片挿入溝
１０：書棚
１１：棚板
１２：書籍
Ｈ：表示部の高さ
Ｗ：表示部の幅
Ｄ：取付部の奥行き
【図１】
0003173850.tif 000003
【図２】
0003173850.tif 000004